(57)【要約】【課題】  主走査方向の両側端部での光量の低下を抑制する。さらに、原稿と原稿を載置する台との間隔が変わった場合でも、副走査方向における光量のピーク位置が主走査方向で一様になるようにする。【解決手段】  第１及び第２の発光素子アレイ１０１ａ、１０１ｂから出射される光を原稿の読取領域に導く導光部１００ａ、１００ｂを有し、導光部１００ａ、１００ｂは、主走査方向の中央付近では、第１の発光素子アレイ１０１ａによって出射される光量の副走査方向における第１ピーク位置と第２の発光素子アレイ１０１ｂによって出射される光量の副走査方向における第２ピーク位置のいずれもが、副走査方向における前記読取領域の中心からずれ、主走査方向の端部では、第１及び第２ピーク位置のうち光量が大きい方のピーク位置が、中央付近よりも副走査方向における読取領域の中心に近くなるように形成されている。【選択図】図１
2010252251.tif 000002
【特許請求の範囲】
【請求項１】
原稿で反射した光を受光素子で受光することによって前記原稿の画像を読み取る画像読取装置に用いられる原稿照明装置であって、
主走査方向に所定のピッチで配置されている複数の発光素子からなる第１の発光素子アレイと、
主走査方向に前記所定のピッチで配置されている複数の発光素子からなり、前記第１の発光素子アレイに対して位置がずれている第２の発光素子アレイと、
前記第１及び第２の発光素子アレイから出射される光を前記原稿の読取領域に導く導光部と、を有し、
前記導光部は、主走査方向の中央付近では、前記第１の発光素子アレイによって出射される光量の副走査方向における第１ピーク位置と前記第２の発光素子アレイによって出射される光量の副走査方向における第２ピーク位置のいずれもが、副走査方向における前記読取領域の中心からずれ、主走査方向の端部では、前記第１及び第２ピーク位置のうち光量が大きい方のピーク位置が、前記中央付近よりも副走査方向における前記読取領域の中心に近くなるように形成されていることを特徴とする原稿照明装置。
【請求項２】
前記導光部は、前記発光素子から出射される光を透過する部材で構成されていることを特徴とする請求項１に記載の原稿照明装置。
【請求項３】
前記導光部は、前記発光素子から出射される光を反射する部材で構成されていることを特徴とする請求項１に記載の原稿照明装置。
【請求項４】
前記導光部は、前記発光素子から出射される光が透過あるいは反射する面の形状が、主走査方向に非対称であることを特徴とする請求項２または請求項３のいずれか１項に記載の原稿照明装置。
【請求項５】
前記導光部は、主走査方向の端部の少なくとも一方に、前記読取領域の外に進む光を前記読取領域に導く反射部材を有することを特徴とする請求項２または請求項３に記載の原稿照明装置。
【請求項６】
主走査方向の端部に最も近い発光素子から主走査方向における前記読取領域の端部までの、主走査方向の長さをＤ、主走査方向の端部に最も近い発光素子から前記原稿の被照射位置までの光路長をＬ、主走査方向の端部に最も近い発光素子において、ピーク光量に対して８０％の光量となる範囲の角度をθ８０とするとき、
θ８０≧ａｔａｎ（Ｄ／Ｌ）
なる条件を満たすことを特徴とする請求項１乃至請求項５のいずれか１項に記載の原稿照明装置。
【請求項７】
前記導光部は、前記第１の発光素子アレイから出射される光を前記原稿の読取領域に導く第１の導光体と、前記第２の発光素子アレイから出射される光を前記原稿の読取領域に導く第２の導光体と、を有することを特徴とする請求項１乃至請求項６のいずれか１項に記載の原稿照明装置。
【請求項８】
前記導光部は、主走査方向の中央付近よりも主走査方向の端部において、副走査方向に光を集光させるように形成されていることを特徴とする請求項１乃至請求項７のいずれか１項に記載の原稿照明装置。
【請求項９】
請求項１乃至請求項８のいずれか１項に記載の原稿照明装置と、
前記原稿で反射した光を受光する受光素子と、
前記原稿で反射した光を受光する受光素子に結像させる結像光学系と、を有することを特徴とする画像読取装置。
【発明の詳細な説明】
【技術分野】
【０００１】
本発明は、導光体及びそれを用いた原稿照明装置及びそれを用いた画像読取装置に関する。特に、イメージスキャナー、複写機、ファクシミリなど、原稿面を照明して線順次方式で読み取りを行う画像読取装置に関する。
【背景技術】
【０００２】
従来一般に、イメージスキャナー、複写機、ファクシミリなどの画像読取装置において、原稿照明装置は蛍光灯などの管状光源を用いて原稿を照明していた。また近年では、白色ＬＥＤ等の発光素子をアレイ状に並べ、管状光源の代わりとした原稿照明装置が出てきている。
【０００３】
従来、原稿照明装置として複数の発光素子を主走査方向にアレイ状に配置した発光素子アレイを用いる場合、原稿の読み取りに必要な光量を得るために、発光素子アレイを２列配置し、原稿に対して左右両側から照射することが行われている。
【０００４】
特許文献１は、このように２列の発光素子アレイを用いた場合、互いの発光素子アレイにおける各発光素子の配置位置を対向する位置に配置した場合、原稿に照射される光量のムラが強調されてしまうことを課題にしている。そして、それを解決するために、一対の発光素子アレイを発光素子の配列ピッチを半分ずらして配置する構成が提案されている。
【先行技術文献】
【特許文献】
【０００５】
【特許文献１】特開昭６１−１３６３６９号公報
【発明の概要】
【発明が解決しようとする課題】
【０００６】
しかしながら、特許文献１のように、一対の発光素子アレイを発光素子の配列ピッチをずらして配置する場合、主走査方向の端部で一方の発光素子アレイからの照明の影響が相対的に大きくなり、他方の発光素子アレイからの照明の影響が相対的に小さくなる。この場合、副走査方向における原稿の読取領域の中心で主走査方向の両側端部の光量が低下するだけでなく、主走査方向の端部において副走査方向の光量分布が歪んでしまう。つまり、副走査方向における原稿の読取領域の中心から離れた位置では、主走査方向の一方の端部では一方の発光素子アレイからの照明の影響がより強くなり、他方の端部ではいずれの発光素子アレイからの照明の影響も弱くなる。そのため、主走査方向での光量ムラが広がり、原稿と原稿を載置する台との間隔が変わった場合、読み取られた原稿の視認性はより低下する。
【０００７】
そこで、本発明は、主走査方向の両側端部での光量の低下を抑制する。さらに、原稿と原稿を載置する台との間隔が変わった場合でも、主走査方向での光量ムラの広がりを抑え、読み取られた原稿の視認性を向上させることのできる原稿照明装置を提供することを目的とする。
【課題を解決するための手段】
【０００８】
本発明の原稿照明装置は、発光素子アレイから出射される光を原稿の読取領域に導く導光部を用いて上記課題の解決を図った。
【０００９】
つまり、本発明は、原稿で反射した光を受光素子で受光することによって前記原稿の画像を読み取る画像読取装置に用いられる原稿照明装置であって、
主走査方向に所定のピッチで配置されている複数の発光素子からなる第１の発光素子アレイと、
主走査方向に前記所定のピッチで配置されている複数の発光素子からなり、前記第１の発光素子アレイに対して位置がずれている第２の発光素子アレイと、
前記第１及び第２の発光素子アレイから出射される光を前記原稿の読取領域に導く導光部と、を有し、
前記導光部は、主走査方向の中央付近では、前記第１の発光素子アレイによって出射される光量の副走査方向における第１ピーク位置と前記第２の発光素子アレイによって出射される光量の副走査方向における第２ピーク位置のいずれもが、副走査方向における前記読取領域の中心からずれ、主走査方向の端部では、前記第１及び第２ピーク位置のうち光量が大きい方のピーク位置が、前記中央付近よりも副走査方向における前記読取領域の中心に近くなるように形成されていることを特徴とする。
【発明の効果】
【００１０】
本発明は、主走査方向の両側端部での光量の低下を抑制することができる。さらに、原稿と原稿を載置する台との間隔が変わった場合でも、主走査方向での光量ムラの広がりを抑え、読み取られた原稿の視認性を向上させることができる。
【図面の簡単な説明】
【００１１】
【図１】本発明に係る原稿照明装置を原稿側から見た上面模式図。
【図２】図１におけるＡ−Ａ線、Ｂ−Ｂ線、Ｃ−Ｃ線での断面模式図。
【図３】図１のＡ−Ａ線、Ｂ−Ｂ線、Ｃ−Ｃ線で切られる断面における副走査方向の光量分布を示す図。
【図４】比較例に係る原稿照明装置を原稿側から見た上面模式図。
【図５】図４のＡ−Ａ線、Ｂ−Ｂ線、Ｃ−Ｃ線で切られる断面における副走査方向の光量分布を示す図。
【図６】比較例に係る原稿照明装置の主走査方向、副走査方向の光量分布を示す図。
【図７】実施例１に係る原稿照明装置を原稿側から見た上面模式図である。
【図８】図７におけるＡ−Ａ線、Ｂ−Ｂ線、Ｃ−Ｃ線での断面模式図。
【図９】実施例２に係る原稿照明装置を原稿側から見た上面模式図。
【図１０】図９におけるＣ−Ｃ線での断面模式図。
【図１１】従来の画像読取装置の断面模式図。
【発明を実施するための形態】
【００１２】
本発明は、原稿で反射した光を受光素子で受光することにより原稿の画像を読み取る画像読取装置に用いられる原稿照明装置であり、第１の発光素子アレイと、第２の発光素子アレイと、導光部と、を有する。
【００１３】
画像読取装置は、原稿に対して原稿の読取領域が副走査方向に相対的に移動するようになっている。相対的に移動とは、原稿が読取領域に対して移動するようになっていてもよいし、読取領域が原稿に対して移動するようになっていてもよい。
【００１４】
第１の発光素子アレイは、主走査方向に所定のピッチで配置されている複数の発光素子からなり、第２の発光素子アレイは、主走査方向に所定のピッチで、第１の発光素子アレイに対して位置がずれて配置されている。
【００１５】
導光部は、第１及び第２の発光素子アレイから出射される光を原稿の読取領域に導く。導光部は、１つの部材だけでなく、複数の部材からなるものも含むものとする。
【００１６】
ここで、副走査方向とは、原稿に対して原稿の読取領域が相対的に移動する方向とし、主走査方向とは、副走査方向に直交し、原稿を読み取る方向とする。
【００１７】
そして、本発明が用いる導光部は、主走査方向の中央付近では、第１および第２の発光素子アレイによって出射される光量の副走査方向におけるピーク位置がいずれも副走査方向における読取領域の中心からずれるように形成されている。いずれのピーク位置も読取領域の中心からずれているため、ピーク位置での光量は抑えられている。ここで、第１の発光素子アレイによって出射される光量の副走査方向におけるピーク位置を第１ピーク位置、第２の発光素子アレイによって出射される光量の副走査方向におけるピーク位置を第２ピーク位置とする。
【００１８】
一方、本発明が用いる導光部は、主走査方向の端部では、第１及び第２ピーク位置のうち、光量が大きい方のピーク位置が主走査方向の中央付近よりも読取領域の中心に近くなるように形成されている。光量の大きい方のピーク位置が読取領域の中心に近づくことにより、ピーク位置での光量が相対的により強くなる。
【００１９】
このように、本発明の導光部は、主走査方向の中央付近と端部とで光量の差を低減し、中央付近に対する端部の光量の低下を抑えることができる。
【００２０】
さらに、本発明が用いる導光部により、副走査方向における光量のピーク位置が主走査方向で一様になる、例えば副走査方向における光量のピーク位置が副走査方向における読取領域の中心に揃う。そのため、副走査方向における読取領域の中心から外れた場合、つまり原稿と原稿を載置する台との間隔が変わっても、主走査方向で光量ムラが生じるのを抑えることができる。
【００２１】
以下、添付の図面に基づいて、本発明に係る原稿照明装置の実施の形態を従来の原稿照明装置と対比しながら詳細に説明する。
【００２２】
まず、本発明に係る原稿照明装置の構成について一例を挙げて説明する。
【００２３】
図１は、本発明に係る原稿照明装置を原稿側から見た上面模式図である。図１において横軸が主走査方向、縦軸が副走査方向である。そして、１００ａは第１の導光体、１００ｂは第２の導光体、１０１ａは第１の発光素子アレイ、１０１ｂは第２の発光素子アレイ、１０３ａ及び１０３ｂは出射面である。また、Ａ−Ａ線、及びＢ−Ｂ線は、それぞれ導光体の主走査方向の端部に最も近い発光素子を通過する線であり、Ｃ−Ｃ線はそれぞれ導光体の主走査方向の中央付近にある発光素子を通過する線である。
【００２４】
第１の発光素子アレイ１０１ａは第１の導光体１００ａに隣接して配置されており、第１の発光素子アレイ１０１ａから出射された光は、第１の導光体１００ａを透過し、第１の導光体１００ａの出射面１０３ａから出射されて不図示の原稿に照射される。一方、第２の発光素子アレイ１０１ｂも同様に、第２の導光体１００ｂに隣接して配置されており、第２の発光素子アレイ１０１ｂから出射された光は、第２の導光体１００ｂを透過し、第２の導光体１００ｂの出射面１０３ｂから出射されて原稿に照射される。そして、第１の導光体１００ａと第２の導光体１００ｂとで本発明の導光部が構成されている。
【００２５】
そして、第１及び第２の導光体の出射面１０３ａ、１０３ｂの形状は主走査方向に非対称になっている。図１におけるＡ−Ａ線、Ｂ−Ｂ線、Ｃ−Ｃ線での断面模式図をそれぞれ図２（ａ）〜（ｃ）に示す。図２の各図において、２００は原稿を載置する原稿載置台であり、矢印は各断面の原稿に照射される光の方向を矢印の向きを概念的に示したものである。さらに、図中のＺ線は副走査方向における原稿の読取領域の中心を示している。
【００２６】
図２（ｃ）では、第１の導光体１００ａの断面と第２の導光体１００ｂの断面形状は線対称である。そして、Ｃ−Ｃ線で切られる断面において第１の導光体１００ａ及び第２の導光体１００ｂから原稿に照射される光は、いずれも同じ角度で原稿載置台２００に入射する。原稿載置台２００を出射する２つの光線はいずれも原稿の読取領域の中心からずれた位置から出射し、それぞれ中心を挟んで対称な位置から出射する。
【００２７】
一方、図２（ａ）では、図２（ｃ）に比べて、第１の導光体１００ａの出射面１０３ａの角度が異なっており、その結果出射面１０３ａから出射される光はより読取領域の中心に近い方向に出射されている。逆に、図２（ｂ）では、図２（ｃ）に比べて、第２の導光体１００ｂの出射面１０３ｂの角度が異なっており、その結果出射面１０３ｂから出射される光は読取領域の中心により近い方向に出射されている。
【００２８】
次に、本発明の導光部を用いることによる導光部から出射される光の光量分布について説明する。
【００２９】
図３（ａ）〜（ｃ）は、それぞれ図１のＡ−Ａ線、Ｂ−Ｂ線、Ｃ−Ｃ線で切られる断面における副走査方向の光量分布を示すものである。横軸は副走査方向を示し、横軸の中心が読取領域の中心である。縦軸は規格化した光量を示しており、（ａ）〜（ｃ）で共通である。また図３において、点線は第１の導光体１００ａによって原稿に照射される光の光量分布を示し、一点鎖線は第２の導光体１００ｂによって原稿に照射される光の光量分布を示す。また、実線は、第１の導光体１００ａと第２の導光体１００ｂとによって原稿に照射される光を合成した光量分布を示す。
【００３０】
図３（ｃ）では、第１の導光体１００ａによる光量分布と第２の導光体１００ｂによる光量分布では、２つのピーク位置（第１ピーク位置、第２ピーク位置）が読取領域の中心に対して互いに逆にずれている。そのため、合成した光量分布のピーク位置は読取領域の中心になるが、ピーク位置での光量は抑えられている。なお、第１の導光体１００ａによる光量分布と第２の導光体１００ｂによる光量分布は、読取領域の中心に対して略線対称な形状である。これは、第１の発光素子アレイ１０１ａのうちＣ−Ｃ線が通過する発光素子が光量分布に与える寄与と、第２の発光素子アレイ１０１ｂのうちＣ−Ｃ線を挟んだ両側の２つの発光素子が光量分布に与える寄与とがほぼ同じであるためである。
【００３１】
図３（ａ）では、図３（ｃ）に比べて、第２の導光体１００ｂによる光量分布（一点鎖線）では、ピーク位置（第２ピーク位置）はほとんど変わらないものの、ピーク位置での光量は大きく下がっている。これは、Ａ−Ａ線よりも主走査方向の端部側には発光素子がないため、中心側の発光素子からの寄与しかないためである。一方、第１の導光体１００ａによる光量分布（点線）では、図３（ｃ）に比べて、ピーク位置（第１ピーク位置）での光量は増えており、ピーク位置が読取領域の中心に近くなっている。そのため、合成した光量分布は、読取領域の中心になり、さらにピーク位置での光量は図３（ｃ）とほぼ同じになる。
【００３２】
一方、図３（ｂ）では、第１の導光体１００ａによる光量分布と第２の導光体１００ｂによる光量分布とが図３（ａ）に対して逆の関係になる。そのため、合成した光量分布は、読取領域の中心になり、さらにピーク位置での光量は図３（ｃ）とほぼ同じになる。
【００３３】
このように、図３（ａ）〜（ｃ）より、本発明の導光部を用いることにより、主走査方向の中央付近と端部とで光量の差を低減し、主走査方向の中央付近に対する端部の光量の低下を抑えることができる。さらに、副走査方向における光量のピーク位置が読取領域の中心に揃えることもできる。
【００３４】
次に、本発明の比較例として従来の原稿照明装置を説明する。
【００３５】
図４は、比較例に係る原稿照明装置を原稿側から見た上面模式図である。そして、４００ａは第１の導光体、４００ｂは第２の導光体、４０１ａは第１の発光素子アレイ、４０１ｂは第２の発光素子アレイ、４０３ａ及び４０３ｂは出射面である。図４では図１と同様の座標軸となっており、Ａ−Ａ線、Ｂ−Ｂ線、Ｃ−Ｃ線も図１と同様の位置である。
【００３６】
比較例に係る原稿照明装置は、出射面４０３ａ、４０３ｂの角度、形状が異なる以外は、図１の構成と同様である。図４に示すように比較例に係る出射面は、主走査方向で角度、形状とも一様になっている。
【００３７】
図５（ａ）〜（ｃ）に、図４のＡ−Ａ線、Ｂ−Ｂ線、Ｃ−Ｃ線で切られる断面における副走査方向の光量分布を示す。図５において、座標軸、読取領域中心、および各線は、図３と同様である。
【００３８】
図５（ｃ）では、Ｃ−Ｃ線近傍における出射面の形状が本発明の形状と同様の形状であるため、いずれの分布についても図３（ｃ）と同様の形状となる。
【００３９】
一方、図５（ａ）では、第２の導光体１００ｂによる光量分布は図３（ｃ）と同様の形状であるが、第１の導光体１００ａによる光量分布では、ピーク位置が読取領域の中心からずれており、その結果合成した光量分布のピーク位置もずれている。しかも、ピーク位置での光量は、図５（ｃ）に比べて下がっている。
【００４０】
図５（ｂ）では、第１の導光体１００ａによる光量分布と第２の導光体１００ｂによる光量分布とが図５（ａ）に対して逆の関係になる。つまり、ピーク位置が読取領域の中心から図５（ａ）とは逆にずれており、合成した光量分布のピーク位置も図５（ａ）とは逆にずれている。しかも、ピーク位置での光量も図５（ｃ）に比べて下がっている。
【００４１】
この光量分布を、主走査方向を横軸、副走査方向を縦軸とした平面で表すと、図６に示すようになる。図６において、色が濃く見える領域は光量が小さい領域で、色が薄く見える領域は光量が大きい領域である。副走査方向の中心（読取領域の中心）付近で光量が大きくなっているが、その形状が主走査方向の端部で歪んでいる。そのため、副走査方向の中心から少し離れた位置では、主走査方向の左端部と右端部とで光量の差が大きくなってしまう。
【００４２】
以上、本発明の実施の形態と、比較例とを図面に基づいて説明した。次に、本発明に係る原稿照明装置のより具体的な構成を以下の実施例で説明する。
【００４３】
［実施例１］
図７は、本発明の実施例１に係る原稿照明装置を原稿側から見た上面模式図である。図７において横軸が主走査方向、縦軸が副走査方向である。そして、７００ａは第１の導光体、７００ｂは第２の導光体、７０１ａは第１の発光素子アレイとしてのＬＥＤアレイ、７０１ｂは第２の発光素子アレイとしてのとしてのＬＥＤアレイ、７０２ａ、７０２ｂは入射面、７０３ａ及び７０３ｂは出射面である。また、図８（ａ）〜（ｃ）は、それぞれ図７におけるＡ−Ａ線、Ｂ−Ｂ線、Ｃ−Ｃ線での断面模式図である。図８において８０４ａ、８０４ｂは反射面である。本実施例の構成は、図１、２で説明した構成と共通する部分が多いため、図１、２で説明した点については説明を省略する。
【００４４】
本実施例では、第２の導光体７００ｂと第２の発光素子アレイ７０１ｂは、第１の導光体７００ａと第１の発光素子アレイ７０１ａと同一のものを反転させたものである。これにより、導光体、発光素子アレイからなるモジュールは１種類となるため、製造が容易になる。また、第１の発光素子アレイ７０１ａと第２の発光素子アレイ７０１ｂとの位置ずれは反転させることによって生じている。
【００４５】
そして、第１及び第２の導光体７００ａ、７００ｂはそれぞれ主走査方向に形状が非対称である。具体的には図８に示すように、主走査方向で反射部８０４ａ、８０４ｂの角度が異なっており、これにより副走査方向での光量のピーク位置が主走査方向の中央付近と両端部とで同じになるように形成されている。
【００４６】
本実施例では各導光体の長さは主走査方向に３５０ｍｍ、副走査方向に２０ｍｍとなっており、反射面８０４ａ、８０４ｂはＬＥＤのピッチムラを改善するために主走査方向に曲率半径５ｍｍ以下の微細なシリンダーがアレイ配置された面となっている。さらに、シリンダーアレイのピッチムラを改善するため、出射面７０３ａ、７０３ｂが粗面にされている。
【００４７】
また、本実施例では各発光素子アレイにおける発光素子の配列ピッチを１０ｍｍとし、発光面から同一の主走査方向における被照射位置までの光路長Ｌを２５ｍｍとしている。また、図７に示すように主走査方向の端部に最も近い発光素子から読取領域の最端部（本実施例では各導光体の端部とする）までの主走査方向の長さＤを１２ｍｍとしている。
【００４８】
各発光素子は、一般に発光面の正面に出射される光の強度が最も強く、正面から角度が大きくなるにつれて強度が弱くなるような素子が用いられる。このとき、主走査方向の端部に最も近い発光素子からの光の強度が弱くなる範囲まで読取領域を主走査方向に広げると、読取領域の端部で光量を十分に得ることができない。そのため、発光素子のピーク光量となる方向からピーク光量の８０％となる方向までの指向角度をθ８０とすると、下記式（１）の条件を満たすようにすることが好ましい。
θ８０≧ａｔａｎ（Ｄ／Ｌ）      ・・・（１）
本実施例では、発光素子として、サイドビュータイプの白色ＬＥＤであって、θ８０が３５度となるものを用いているため、θ８０＝３５＞２５．６＝ａｔａｎ（１２ｍｍ／２５ｍｍ）となり、この条件を満たす。そのため、最も主走査方向の端部に配置された発光素子からの光量が読取領域の主走査方向端部で少なくなるのを抑えることができる。
【００４９】
［実施例２］
図９は、本発明の実施例２に係る原稿照明装置を原稿側から見た上面模式図である。図９において横軸が主走査方向、縦軸が副走査方向である。そして、９００ａは第１の導光体、９００ｂは第２の導光体、９０１ａは第１の発光素子アレイとしてのＬＥＤアレイ、９０１ｂは第２の発光素子アレイとしてのとしてのＬＥＤアレイである。また、９０２ａ、９０２ｂは反射部材であり、１００１ａ、１００１ｂは拡散部材である。図１０は、図９におけるＣ−Ｃ線での断面模式図である。
【００５０】
本実施例では、第２の導光体９００ｂ、第２の発光素子アレイ９０１ｂ、及び反射部材９０２ｂは、第１の導光体９００ａ、第１の発光素子アレイ９０１ａ、及び反射部材９０２ａと同一のものを反転させたものである。これにより、導光体、発光素子アレイ、反射部材からなるモジュールは１種類となるため、製造が容易になる。また、第１の発光素子アレイ９０１ａと第２の発光素子アレイ９０１ｂとの位置ずれは反転させることによって生じている。
【００５１】
第１及び第２の導光体９００ａ、９００ｂは実施例１とは異なり、発光素子から出射される光をその表面で反射する部材で構成されている。各発光素子から出射された光は第１及び第２の導光体９００ａ、９００ｂで反射し、原稿載置台２００を介して原稿に照射される。
【００５２】
そして、第１及び第２の導光体９００ａ、９００ｂは実施例１とは異なり、それぞれ主走査方向に形状が非対称にはなっておらず、一様に形成されている。そのため第１及び第２の導光体９００ａ、９００ｂのみを用いるのみでは、先に説明した比較例のように光量分布が主走査方向の端部で歪んでしまう。そこで、本実施例では、第１及び第２の導光体９００ａ、９００ｂの他に反射部材９０２ａ、９０２ｂを設け、第１及び第２の導光体９００ａ、９００ｂ及び反射部材９０２ａ、９０２ｂを本発明における導光部として構成した。
【００５３】
反射部材９０２ａ、９０２ｂは、主走査方向の端部の近くに発光素子が配置されている方にのみ設けられている。そして、反射部材９０２ａ、９０２ｂは、発光素子から直接読取領域の外に進む光を読取領域に導く、或いは発光素子から出射され第１及び第２の導光体９００ａ、９００ｂで反射した後に読取領域の外に進む光を読取領域に導くように配置されている。反射部材９００ａで反射光は第１の発光素子アレイ９０１ａによって読取領域に照射される光量分布のピーク位置をより中心に近くし、かつピーク光量を高めるように設定されている。また反射部材９００ｂについても第２の発光素子アレイ９０２ａによる光に対して同様に作用する。その結果、副走査方向での光量のピーク位置が主走査方向の中央付近と両端部とで同じにし、また主走査方向の端部でのピーク位置の光量の低下を抑えることができる。
【００５４】
本実施例では第１及び第２の導光体９００ａ、９００ｂの長さは主走査方向に３５０ｍｍ、副走査方向に５ｍｍとなっている。そして、第１及び第２の導光体９００ａ、９００ｂの近傍に発光素子アレイによって生じる光量ムラを改善するために副走査方向に比べて主走査方向の拡散特性が強い拡散部材１００１ａ、１００１ｂが設置されている。
【００５５】
また、本実施例では各発光素子アレイにおける発光素子の配列ピッチを４ｍｍとし、発光面から同一の主走査方向における被照射位置までの光路長Ｌを３６ｍｍとしている。また、図７に示すように主走査方向の端部に最も近い発光素子から読取領域の最端部（本実施例では各導光体の端部とする）までの主走査方向の長さＤを１２ｍｍとしている。
【００５６】
本実施例でも実施例１と同様に式（１）の条件を満たすことが好ましいが、本実施例でも、発光素子としてθ８０が３５度となるものを用いているため、θ８０＝３５＞１８．４＝ａｔａｎ（１２ｍｍ／３６ｍｍ）となり、この条件を満たす。そのため、最も主走査方向の端部に配置された発光素子からの光量が読取領域の主走査方向端部で少なくなるのを抑えることができる。
【００５７】
以上、本発明の原稿照明装置の実施例について説明したが、本発明はこれらの実施例に限定されず、その要旨の範囲内で種々の変形及び変更が可能である。
【００５８】
以上の記載では、導光体を光透過部材にした場合、出射面の角度或いは反射面（内部反射面）の角度を異ならせることによって、読取領域に照射される光量を調整しているが、入射面の角度を異ならせてもよい。
【００５９】
以上の記載では、第１及び第２の導光体が反射部材である場合に別の反射部材（９０２ａ、９０２ｂ）をさらに設けているが、第１及び第２の導光体が光透過部材である場合に、別の反射部材をさらに設けてもよい。
【００６０】
以上の記載では、第１及び第２の導光体が反射部材である場合、第１及び第２の導光体は主走査方向に一様な形状となっているが、第１及び第２の導光体の反射面の角度を異ならせてもよい。
【００６１】
以上の記載では、第１及び第２の導光体が反射部材である場合に、別の反射部材（９０２ａ、９０２ｂ）は、主走査方向の片側の端部にのみ設けられているが、両側の端部に設けられていてもよい。
【００６２】
以上の記載では、第１及び第２の導光体の出射面は１つの平面になっているが、出射面を複数の平面あるいは曲面とし、屈折作用を利用して、副走査方向に広がる照明光を集光し、光量の低下を抑えるように設定することもできる。
【００６３】
以上の記載では、読取領域の主走査方向の最端部を導光体の主走査方向の最端部としたが、導光体の主走査方向の最端部付近から出射される光を読み取りに利用しない場合には、読取領域の主走査方向の最端部を導光体の主走査方向のより中央寄りにしてもよい。
【００６４】
以上の記載では、第１及び第２の発光素子アレイのピッチのずれ量は１／２ピッチ程度に設定されているが、他の値に設定してもよい。ただし、ピッチのずれ量が１ピッチ以上ずれると主走査方向の端部では一方の発光素子アレイからの寄与がほとんど無くなり、光量が低下するため、ずれ量は１ピッチ以下であることが好ましい。
【００６５】
以上の記載では、発光素子アレイを２列で構成しているが、２列に限られるものではなく、３列、あるいは４列であってもよい。
【００６６】
また、本発明は、以上に説明した原稿照明装置と、原稿で反射した光を受光する受光素子と、原稿で反射した光を受光素子に結像させる結像光学系と、を用いて画像読取装置とすることもできる。例えば、本発明の画像読取装置は図１１に示すようになる。
【００６７】
図１１に本発明の一般的な画像読取装置の断面模式図を示す。原稿照明装置１１０１から出射された照明光は導光体１１００を透過し、原稿台ガラス１１０２の上に置かれた原稿１１０３を照明する。原稿面で反射した画像情報を有した光は複数の反射ミラー１１０４を介して結像光学系１１０５により、光電変換素子（受光素子）１１０６に結像する。キャリッジ１１０７は、副走査駆動装置１１０８により原稿に対して相対的に副走査方向に移動しながら原稿の２次元画像を線順次読み取り方式で読み取っていく。
【００６８】
さらに、本発明の原稿照明装置または画像読取装置は、様々な電子機器に適用することができる。例えば、アナログ複写機やデジタル複写機等のように読み取られた画像を元に画像を形成する画像形成装置に適用することができる。
【符号の説明】
【００６９】
１００ａ  第１の導光体
１００ｂ  第２の導光体
１０１ａ  第１の発光素子アレイ
１０１ｂ  第２の発光素子アレイ
１０３ａ、１０３ｂ  出射面
２００  原稿載置台
【図１】
2010252251.tif 000003
【図２】
2010252251.tif 000004
【図３】
2010252251.tif 000005
【図４】
2010252251.tif 000006
【図５】
2010252251.tif 000007
【図６】
2010252251.tif 000008
【図７】
2010252251.tif 000009
【図８】
2010252251.tif 000010
【図９】
2010252251.tif 000011
【図１０】
2010252251.tif 000012
【図１１】
2010252251.tif 000013